(57)【要約】【課題】プレス加工後におけるめっき密着性、プレス加工後の塗装後耐食性に優れ、且つ優れた外観を有する溶融亜鉛めっき鋼板を提供する。【解決手段】溶融亜鉛めっき層の構造を制御し、金属間化合物を溶融亜鉛めっき層／鋼板界面に所定の性状で形成させ、且つ溶融亜鉛めっき層の凝固組織と表面のテクスチャーを制御する。具体的には、溶融亜鉛めっき層中のＡｌ量を０．３%以上０．６%以下とし、金属間化合物中のＡｌ量を０．１２ｇｍ−２以上０．２２ｇｍ−２以下とし、金属間化合物の粒径を平均粒径1μｍ以下とし、金属間化合物の組成をＦｅ２Ａｌ５もしくはＦｅＡｌ３の少なくても一種とする。【選択図】なし【特許請求の範囲】
【請求項１】
質量％で、Ｃ：０．００１％以上０．００５％以下、Ｓｉ：０．１０％以下、Ｍｎ：０．７０％以上１．５０％以下、Ｐ：０．０５０％以上０．１００%以下、Ｓ：０．０１０％以下、N：０．００５％以下、Ａｌ：０．１０％以下、Ｂ：０．００１５%以下を含有し、かつ、Ｔｉ：０．０１％以上０．０５％以下及びＮｂ：０．０１％以上０．０５%以下のうちから選択される少なくとも一種を含有し、残部がＦｅ及び不可避的不純物の組成からなり、実質的にフェライト単相から構成される鋼板と、
前記鋼板の表面の少なくとも一部に形成された、Ａｌを０．３%以上０．６%以下含む溶融亜鉛めっき層と、
前記鋼板と前記溶融亜鉛めっき層間に存在する、０．１２ｇｍ−２以上０．２２ｇｍ−２以下のＡｌを含み、かつ平均粒径1μｍ以下のＦｅ２Ａｌ５もしくはＦｅＡｌ３の少なくとも一種からなる金属間化合物と、を有し、
降伏応力（ＹＳ）が２２０ＭＰａ以上３２０ＭＰａ以下である溶融亜鉛めっき鋼板。
【請求項２】
前記溶融亜鉛めっき層の表面の表面粗さＲａが０．８μｍ以上１．６μｍ以下であり、
前記溶融亜鉛めっき層の表面の光沢度（Ｇ値）が５５０以上７５０以下であり、
前記溶融亜鉛めっき層の表面における、Ｚｎ結晶の（００２）面の結晶配向性とＺｎ結晶の（００４）面の結晶配向性との比である亜鉛基底面配向率（Ｚｎ（００２）／（００４））が６０以上９０以下であることを特徴とする請求項１に記載の溶融亜鉛めっき鋼板。
【発明の詳細な説明】
【技術分野】
【０００１】
本発明は、自動車の外板、内板用に好適に使用可能な溶融亜鉛めっき鋼板に関するものである。
【背景技術】
【０００２】
近年、自動車、家電、建材等の分野において素材鋼板に防錆性を付与した表面処理鋼板、中でも防錆性に優れた溶融亜鉛めっき鋼板が使用されている。特に欧米の自動車メーカーはめっき厚を簡単に増やせる溶融亜鉛めっき鋼板の適用により防錆性能を向上させることを考えており、経済成長著しい東アジア地区において大きな自動車用鋼板の需要が見込める状況である。
【０００３】
また良好な加工性が厳しく要求される自動車用鋼板の場合、プレス加工後におけるめっき密着性やプレス加工後の塗装後耐食性が良好でなければ、製品の耐久性が維持できない。
【０００４】
特許文献１には、めっき層中のＡｌ量、めっき／鋼板界面のＡｌ量を規定するプレス加工時の摺動性に優れた溶融亜鉛めっき鋼板の製造方法が開示されている。しかし、プレス加工後における加工部のめっき密着性、プレス加工後の耐食性等の製品の耐久性については充分に考慮されておらず、全く問題が無いとまではいえない。
【０００５】
以上の通り、従来、プレス加工後のめっき密着性やプレス加工後の塗装後耐食性を良好にして耐久性のある鋼板は存在しない。
【０００６】
また、自動車、家電、建材等の分野において使用されることから、溶融亜鉛めっき鋼板には優れた塗装後外観も求められる。
【先行技術文献】
【特許文献】
【０００７】
【特許文献１】特開２００４−３１５９６５号公報
【発明の概要】
【発明が解決しようとする課題】
【０００８】
本発明はかかる事情に鑑みてなされたものであって、プレス加工後におけるめっき密着性、プレス加工後の塗装後耐食性に優れ、且つ優れた塗装後外観を有する溶融亜鉛めっき鋼板を提供することを目的とする。
【課題を解決するための手段】
【０００９】
本発明者らは上記課題を解決するために鋭意研究を重ねた。その結果、従来技術の様に単に溶融亜鉛めっき処理するのではなく、溶融亜鉛めっき層の構造を制御し、金属間化合物を鋼板と溶融亜鉛めっき層間に所定の性状で形成させ、好ましくは溶融亜鉛めっき層の凝固組織と表面のテクスチャーを制御することで、プレス加工後のめっき密着性、プレス加工後における加工部の塗装後耐食性に優れ、且つ優れた塗装後外観を有する溶融亜鉛めっき鋼板になることを見出し、本発明を完成するに至った。より具体的には本発明は以下のものを提供する。
【００１０】
本発明の溶融亜鉛めっき鋼板は、質量％で、Ｃ：０．００１％以上０．００５％以下、Ｓｉ：０．１０％以下、Ｍｎ：０．７０％以上１．５０％以下、Ｐ：０．０５％以上０．１%以下、Ｓ：０．０１％以下、N：０．００５％以下、Ａｌ：０．１％以下、Ｂ：０．００１５%以下を含有し、かつ、Ｔｉ：０．０１％以上０．０５％以下及びＮｂ：０．０１％以上０．０５%以下のうちから選択される少なくとも一種を含有し、残部がＦｅ及び不可避的不純物の組成からなり、実質的にフェライト単相から構成される鋼板と、前記鋼板の表面の少なくとも一部に形成された、Ａｌを０．３%以上０．６%以下含む溶融亜鉛めっき層と、前記鋼板と前記溶融亜鉛めっき層間に存在する、０．１２ｇｍ−２以上０．２２ｇｍ−２以下のＡｌを含み、かつ平均粒径1μｍ以下のＦｅ２Ａｌ５もしくはＦｅＡｌ３の少なくとも一種からなる金属間化合物と、を有し、降伏応力（ＹＳ）が２２０ＭＰａ以上３２０ＭＰａ以下である。
【００１１】
本発明の溶融亜鉛めっき鋼板においては、前記亜鉛めっき層の表面の表面粗さＲａが０．８μｍ以上１．６μｍ以下であり、前記亜鉛めっき層の表面の光沢度（Ｇ値）が５５０以上７５０以下であり、前記亜鉛めっき層の表面における、Ｚｎ結晶の（００２）面の結晶配向性とＺｎ結晶の（００４）面の結晶配向性との比である亜鉛基底面配向率（Ｚｎ（００２）／（００４））が６０以上９０以下であることが好ましい。
【発明の効果】
【００１２】
本発明の溶融亜鉛めっき鋼板は、プレス加工後のめっき密着性、プレス加工後の塗装後耐食性に優れ、且つ優れた塗装後外観を有する。
【発明を実施するための形態】
【００１３】
以下、本発明について具体的に説明する。なお、本発明は以下の実施形態に限定されない。
【００１４】
本発明の溶融亜鉛めっき鋼板は、鋼板と、鋼板の表面の少なくとも一部に形成された溶融亜鉛めっき層と、鋼板と溶融亜鉛めっき層間に存在する金属化合物とを有する。
【００１５】
＜鋼板＞
本発明で用いる鋼板は、質量％で、Ｃ：０．００１％以上０．００５％以下、Ｓｉ：０．１０％以下、Ｍｎ：０．７０％以上１．５０％以下、Ｐ：０．０５０％以上０．１００%以下、Ｓ：０．０１０％以下、N：０．００５％以下、Ａｌ：０．１０％以下、Ｂ：０．００１５%以下を含有し、かつ、Ｔｉ：０．０１％以上０．０５％以下及びＮｂ：０．０１％以上０．０５%以下のうちから選択される少なくとも一種を含有し、残部がＦｅ及び不可避的不純物からなる。以下、上記成分組成について説明する。なお、なお、本明細書において、成分組成における「%」表示は、特に断らない限り「質量%」を意味する。
【００１６】
Ｃ：０．００１％以上０．００５％以下
Ｃの含有量が増えると、深絞り性や延性が劣化し自動車外板用や内板用としての成形性を鋼板に付与することが困難となる。このためＣの含有量の上限は０．００５％に規定する。一方、Ｃの含有量が０．００１％未満では結晶粒が粗大化して、成形した際に鋼板表面に肌荒れが生じやすくなるため、Ｃの含有量の下限は０．００１％に規定する。本発明で用いる鋼板の成分組成におけるＣの含有量が上記範囲にあることで、鋼板組織は加工性に優れた実質的にフェライト単相となる。また、好ましいＣの含有量は、０．００１％以上０．００４％以下である。
【００１７】
Ｓｉ：０．１０％以下
Ｓｉの含有量が０．１０％を超えるとスケールに起因した表面欠陥が発生しやすくなる。また、Ｓｉの含有量が過剰になると、後述する金属間化合物の形成を阻害したり、Ｓｉの核発生を抑制して鋼板組織中の１つ１つの結晶が粗大化することによるプレス加工後のめっき密着性を劣化させたりする問題が生じる。好ましいＳｉの含有量は０．０２％以下である。
【００１８】
Ｍｎ：０．７０％以上１．５０％以下
Ｍｎの含有量が０．７０％未満では充分な強度を有する鋼板が得られない。Ｍｎを鋼板に多量に含有させることで、鋼板を高強度化できるが、一方で、Ｍｎを過剰に含有させると深絞り性が低下する。また、Ｍｎは後述する金属間化合物の形成を阻害し、かつ核発生を抑制するために鋼板組織中の１つ１つの結晶を粗大化させてプレス加工後のめっき密着性を劣化させる。このため、Ｍｎの含有量の上限は１．５０%とする。また、好ましいＭｎの含有量は０．７５％以上１．２％以下である。
【００１９】
Ｐ：０．０５０％以上０．１００%以下
Ｐの含有量が０．０５０％未満では、鋼板の加工性が良好にならず、また、降伏応力（ＹＳ）等の機械特性が所望の水準を満たさない。Ｐの含有量が０．１００%を超えると溶接部の靱性が劣化したり、延性が劣化したりする。好ましいＰの含有量は０．０５０％以上０．０８５％以下である。
【００２０】
Ｓ：０．０１０％以下
Ｓの含有量が多いと、Ｐの含有量が多い場合と同様に溶接部の靭性が劣化する。このためＳの含有量の上限は０．０１０％とする。好ましいＳの含有量は０．００７％以下である。
【００２１】
N：０．００５％以下、Ａｌ：０．１０％以下
Ａｌ（ｓｏｌ．Ａｌ）とＮは、通常の鋼板が含有する量であれば本発明の効果を損なわない。また、Ｎは、Ｔｉと結合してＴｉＮを形成したり、Ａｌと結合してＡｌＮを形成したりする。そこで、Ａｌの含有量を０．１０％以下、Ｎの含有量を０．００５％以下に規定する。Ａｌの含有量が０．１０％を超えると、後述する金属間化合物の形成を阻害したり、核発生を抑制して鋼板組織中の１つ１つの結晶が粗大化することで加工時のめっき密着性を劣化させたりする。また、Ｎの含有量が０．００５％を超えると窒化物がフェライト粒内に分散して加工硬化率が低下する。好ましいＡｌの含有量は０．０４％以下であり、好ましいＮの含有量は０．００２以下である。
【００２２】
Ｂ：０．００１５%以下
Ｂは、炭化物を形成して清浄化された粒界の強化に寄与する元素である。この効果を得る観点からは、Ｂの含有量の下限は０．０００３％であることが好ましい。しかしながら、Ｂ含有量が０．００１５％を超えると固溶強化により加工硬化率が低下する。また、Ｂは再結晶焼鈍時における表面の選択酸化を促進する。そのため、Ｂの含有量の上限は０．００１５％とする。また、好ましいＢの含有量は０．０００３％以上０．００１０％以下である。
【００２３】
Ｔｉ：０．０１％以上０．０５％以下及びＮｂ：０．０１％以上０．０５%以下のうちから選択される少なくとも一種
ＴｉやＮｂは、フェライト粒内で炭化物（ＴｉＣ、ＮｂＣ）を形成することにより、鋼板の加工硬化率を向上させる。ただし、ＴｉやＮｂの含有量が０．０１％未満では、Ｔｉの炭化物量やＮｂの炭化物量が少なく、転位運動の制御ができず、十分な加工硬化率の上昇を臨めない。一方、ＮｂやＴｉ含有量が０．０５％を超えると、粗大な炭化物が析出し、加工硬化率が低下する。さらに鋼板組織中の粒界が清浄化されて溶融亜鉛めっき処理時に金属間化合物が過剰に成長してめっき密着性が劣化する。このため、Ｔｉ及びＮｂの併用又は単独使用に関わらず、Ｔｉの含有量、Ｎｂの含有量は少なくとも一方が０．０１％以上０．０５％以下とする。好ましいＴｉの含有量は０．０１５％以上０．０４％以下であり、好ましいＮｂの含有量は０．０１％以上０．０３％以下である。なお、ＴｉとＮｂの両方を含む場合に、一方の含有量が上記範囲外であれば、本発明の範囲外である。
【００２４】
Ｆｅおよび不可避的不純物
上記した成分以外の残部は、Feおよび不可避的不純物である。ここで不可避的不純物とは、例えばＯである。Ｏは不可避的に混入する代表的な不可避的不純物である。不可避的不純物の含有量は特に限定されず、許容される不可避的不純物の含有量は不可避的不純物の種類にもよるが、Ｏの場合には含有量が０．００５％以下であれば問題が無い。
【００２５】
鋼板組織
鋼板組織は実質的にフェライト単相である。鋼板組織が実質的にフェライト単相から構成されることで、溶融亜鉛めっき鋼板は加工性に優れる。ここで、実質的にフェライト単相には、鋼板の鋼板組織の全てがフェライト相である場合の他、鋼板組織の９５％以上がフェライト相である場合も含まれる。ただし、通常はフェライト以外の相が生成しないと考えられる。なお、実質的にフェライト単相であることは、光学顕微鏡でエッチングした試料断面を観察して確認する。
【００２６】
＜溶融亜鉛めっき層＞
溶融亜鉛めっき層とは、通常の溶融亜鉛めっき処理によって形成される溶融亜鉛めっき層である。また、溶融亜鉛めっき層は、Ａｌを０．３%以上０．６%以下含む。本発明においては、溶融亜鉛めっき層にＺｎ、Ａｌ以外の成分を、本発明の効果を害さない範囲で含んでもよく、Ａｌ以外の成分としてはＦｅ、Ａｌ、Ｍｇ、Ｃｒ等が挙げられる。
【００２７】
Ａｌの含有量が０．３%未満の場合、めっき浴中のＡｌ濃度を低くする必要があり、その結果Ｆｅの溶出があるため、ドロスが析出して外観性が悪化したり、硬質のドロスが溶融亜鉛めっき層中に分散したりする。ドロスが溶融亜鉛めっき層中に分散すると溶融亜鉛めっき鋼板の加工性が劣化する。Ａｌの含有量が０．６%超えだと溶融亜鉛めっき層表面にＡｌの酸化皮膜が多量に形成されて、溶融亜鉛めっき鋼板のスポット溶接性が劣化する。
【００２８】
溶融亜鉛めっき層は、溶融亜鉛めっき層の表面の表面粗さＲａが０．８μｍ以上１．６μｍ以下であることが好ましい。表面粗さＲａが０．８未満だと溶融亜鉛めっき鋼板のプレス時に油が溶融亜鉛めっき層の表面に保持されず加工性に劣る場合がある。１．６μm超えだと塗装後鮮鋭性が劣り優れた外観を塗装後の溶融亜鉛めっき鋼板に付与できない場合がある。なお、上記表面粗さＲａは、実施例に記載の方法で測定された表面粗さＲａを意味する。
【００２９】
溶融亜鉛めっき層の表面の光沢度（Ｇ値）が５５０以上７５０以下であることが好ましい。上記光沢度（Ｇ値）が５５０未満であると塗装後鮮鋭性が劣り塗装後の溶融亜鉛めっき鋼板に優れた外観を付与できない場合がある。光沢度（Ｇ値）が７５０以上だと平滑すぎて、溶融亜鉛めっき鋼板のプレス時に油が溶融亜鉛めっき層の表面に保持されずに成形性に劣る場合がある。なお、上記光沢度（Ｇ値）は実施例に記載の方法で測定された光沢度（Ｇ値）を意味する。
【００３０】
溶融亜鉛めっき層の表面における、Ｚｎ結晶の（００２）面の結晶配向性とＺｎ結晶の（００４）面の結晶配向性との比である亜鉛基底面配向率（Ｚｎ（００２）／（００４））が６０以上９０以下であることが好ましい。亜鉛基底面配向率が６０未満だと亜鉛結晶の配向が比較的ランダムであり、めっき直後に亜鉛が凝固する際の結晶サイズが細かくなるため、溶融亜鉛めっき層の表面が平滑すぎてプレス時に油が保持されずに成形性に劣る場合がある。亜鉛基底面配向率が９０超えだとＺｎ結晶の基底面の配向が高すぎて結晶粒が成長しやすく、結果としてデンドライドアームが発達するため、塗装後鮮鋭性が劣り塗装後の溶融亜鉛めっき鋼板の外観が悪化する可能性があるだけでなく、耐食性も劣化する可能性がある。ここで亜鉛基底面配向率は以下の式で規定できる。
【００３１】
【数１】
2014088605.tif 000002
【００３２】
亜鉛基底面配向率（Ｚｎ（００２）／（００４））は｛（００２）面のＺｎ結晶配向性｝／｛（００４）面のＺｎ結晶配向性｝を表す。また、（I(ｘｙｚ)はサンプルの(ｘｙｚ)面におけるＸ線で測定したＺｎ強度、Ｉｓｔｄ(ｘｙｚ)は標準サンプル（純Ｚｎ粉末）の(ｘｙｚ)面におけるＸ線で測定したＺｎ強度を意味する）
上記のようにして亜鉛基底面配向率を規定すれば、Ｚｎはｈｃｐ構造をとり通常は基底面に配向し易いが、どの程度結晶がランダムに配向したかが分かる。この凝固組織の配向程度によって光沢、結晶サイズ、表面での粗度（表面粗さ）が影響されるため、亜鉛基底配向率を正確に制御することは溶融亜鉛めっき鋼板の表面性状だけでなくプレス加工性を制御する際に重要である。なお、亜鉛基底面配向率が上記範囲にあれば、光沢や表面粗さＲａは上記好ましい範囲を満たす。
【００３３】
また、溶融亜鉛めっき層は、鋼板表面の少なくとも一部に形成されればよいが、溶融亜鉛めっき層は、鋼板をめっき浴に浸漬する方法で鋼板表面に形成されるため、通常、鋼板表面の全体に溶融亜鉛めっき層が形成される。
【００３４】
また、溶融亜鉛めっき層の厚みは特に限定されないが、溶融亜鉛めっき層の厚みは、溶融亜鉛めっき処理の際の付着量を制御することで調整することができる。
【００３５】
＜金属間化合物＞
金属間化合物は、平均粒径1μm以下のＦｅ２Ａｌ５もしくはＦｅＡｌ３の少なくとも一種からなる金属間化合物から構成され、鋼板と溶融亜鉛めっき層間に存在する。また、金属間化合物は、０．１２ｇｍ−２以上０．２２ｇｍ−２以下のＡｌを含む。上記金属間化合物が存在することでＦｅＺｎ合金相の形成を抑制して良好なめっき密着性が確保できるという効果が得られる。この効果はＦｅ２Ａｌ５もしくはＦｅＡｌ３の少なくとも一種からなる金属間化合物以外の場合には得られない。これら以外では、硬くて脆いＦｅＺｎ金属間化合物が生成する場合があり、この場合めっき密着性が劣化する。なお、金属間化合物が存在していることの確認は、溶融亜鉛めっき層の断面における鋼板との界面付近を透過電子顕微鏡中で電子線回折によって解析して検出する方法で行うことができる。
【００３６】
Ｆｅ２Ａｌ５やＦｅＡｌ３の平均粒径が1μm超えだと硬質の金属間化合物が過剰成長していることになり、溶融亜鉛めっき鋼板の耐衝撃特性が劣化する。このため、上記平均粒径の上限は１μｍとする。
【００３７】
金属間化合物中のＡｌの含有量が０．１２ｇｍ−２未満だと、めっきの溶融亜鉛浴中Ａｌ濃度を低く設定する必要があり、ドロスが析出して溶融亜鉛めっき鋼板の外観性や加工性が劣化する。０．２２ｇｍ−２超えだとめっき浴中のＡｌ濃度を高く設定する必要があり、溶融亜鉛めっき層表面にＡｌの酸化皮膜が多量に形成されてスポット溶接性が劣化する。
【００３８】
＜溶融亜鉛めっき鋼板の物性＞
本発明の溶融亜鉛めっき鋼板はプレス加工後のめっき密着性、プレス加工後における加工部の塗装後耐食性に優れ、且つ優れた塗装後外観を有する。このため、本発明の溶融亜鉛めっき鋼板は、バックドアやフードなどの非常に厳しい加工部位を有する製品にも適用可能である。
【００３９】
また、本発明の溶融亜鉛めっき鋼板は降伏応力（ＹＳ）が２２０ＭＰａ以上３２０ＭＰａ以下である。降伏応力が上記範囲にあれば、主に外板等の厳しい加工と形状凍結性を確保しなければならない用途にも溶融亜鉛めっき鋼板を好ましく適用できる。
【００４０】
＜溶融亜鉛めっき鋼板の製造方法＞
続いて、溶融亜鉛めっき鋼板の製造方法について説明する。例えば、以下の方法で溶融亜鉛めっき鋼板を製造可能である。先ず、上記のような成分組成を有する鋼を連続鋳造によりスラブとし、該スラブ加熱し、スケール除去および粗圧延を施す。次いで、冷却した後、仕上げ圧延し、冷却し、巻取り、次いで、酸洗、冷間圧延を行う。次いで、連続式溶融亜鉛めっき設備において、鋼板の焼鈍および溶融亜鉛めっき処理を行う。次いで、必要に応じて合金化処理を行う。
【００４１】
スラブを加熱する際の加熱時間、加熱温度、粗圧延の条件、冷却条件、仕上げ圧延の条件、巻取りの条件等は、技術常識に基づいて適宜設定可能である。
【００４２】
また、鋼板の焼鈍の条件は、溶融亜鉛めっき鋼板の降伏応力に影響を与える。本発明においては、降伏応力を上記範囲に設定するために、焼鈍の際の加熱温度を７８０℃以上８２０℃以下に設定することが好ましい。
【００４３】
本発明においては、溶融亜鉛めっき層のＡｌ含有量を制御し、鋼板と溶融亜鉛めっき層との間に金属間化合物を存在させるために、溶融亜鉛めっき処理の条件を設定する必要がある。また、溶融亜鉛めっき層の表面状態（表面粗さＲａ、光沢度（Ｇ値）、亜鉛基底面配向率）を所望の状態にするためにも、溶融亜鉛めっき処理の条件を調整する必要がある。以下、溶融亜鉛めっき処理の条件について説明する。
【００４４】
焼鈍後の鋼板がめっき浴に進入する際の鋼板の温度である浸入板温は、特に限定されないが、めっき浴の温度（浴温）−２０℃以上浴温＋２０℃以下であることが好ましい。浸入板温が上記範囲にあれば、浴温の変化が小さく、所望の溶融亜鉛めっき処理を連続して行いやすい。
【００４５】
焼鈍後の鋼板が浸入するめっき浴の組成はＺｎ以外にＡｌを含むものであればよく、必要に応じて他の成分が含まれていてもよい。めっき浴中のＡｌの濃度は特に限定されないが、０．１６質量％以上０．２５質量％以下であることが好ましい。Ａｌの濃度が０．１６質量％以上０．２５質量％以下であればＦｅＡｌ合金相が形成されてＦｅＺｎ合金相が抑制されるために好ましい。光沢度はめっき浴中のＡｌ濃度により調整可能である。めっき浴中のＡｌ濃度が低くなると界面にＦｅＡｌではなくＦｅＺｎ結晶が僅かに形成され、それがＺｎ凝固核発生サイトとなることで多数の亜鉛結晶が生成し、亜鉛結晶配向がランダム化することで配向率が低下する傾向にある。その結果、Ａｌ濃度が低いほど、デンドライド状のＺｎ結晶成長が抑制されて、表面の凹凸が低減して平滑化するため、光沢度が上昇する。より好ましいＡｌの濃度は０．１９質量％以上０．２２質量％以下である。
【００４６】
また、めっき浴の温度（浴温）は特に限定されないが、４４０℃以上４８０℃以下が好ましい。浴温が４４０℃以上４８０℃以下であれば浴温が安定して確保でき浴温分布が劣化してもＺｎが凝固しないという理由で好ましい。また浴温が低下するとＦｅＡｌ合金相の溶解度が低下するため、ＦｅＡｌ合金相の生成量が増加傾向である。より好ましい浴温の範囲は４５０℃以上４６０℃以下である。
【００４７】
鋼板をめっき浴への浸漬させる際の浸漬時間は特に限定されないが、０．５秒以上３秒以下であることが好ましい。浸漬時間が上記範囲にあることで、鋼板の表面に所望の溶融亜鉛めっき層を形成しやすい。
【００４８】
鋼板をめっき浴から引き上げた直後にガスジェットワイピング等でめっき付着量を調整する。本発明においてめっき付着量は特に限定されないが、２０ｇ／ｍ２以上１２０ｇ／ｍ２以下の範囲であることが好ましい。２０ｇ／ｍ２未満では耐食性の確保が困難になる場合がある。一方、１２０ｇ／ｍ２を超えると耐めっき剥離性が劣化する場合がある。
【００４９】
上記のようにしてめっき付着量を調整後、調質圧延（ＳＫ処理）を行う。ＳＫ処理に用いるロールの種類は特に限定されず、Ｅｌｅｃｔｒｏ−Ｄｉｓｃｈａｒｇｅ  Ｔｅｘｔｕｒｅロール（ＥＤＴロール）、Ｅｌｅｃｔｒｏｎ  Ｂｅａｍ  Ｔｅｘｔｕｒｅロール（ＥＢＴロール）、ショットダルロール、トポクロムロール等を使用可能である。
【００５０】
ＳＫ処理の際の圧下率（ＳＫ圧下率（％））も特に限定されないが、０．７〜０．９％であることが好ましい。ＳＫ圧下率が上記範囲にあれば、表面粗さを上記好ましい範囲に調整しやすい。また、上記範囲外であると、圧延油を保持するダル目がつかずに成形性が低下する場合があり、また、降伏強度も低下する場合がある。
【００５１】
鋼板をめっき浴から引き上げた後の冷却速度は、−５℃／秒以上−３０℃／秒以下であることが好ましい。冷却速度が−５℃／秒以下であるとスパングルが粗大化する場合があるため好ましくなく、−３０℃／秒以上は冷却速度を確保するために急冷しなければならず経済性が劣化するため好ましくない。また、冷却速度が遅いとＦｅＡｌ合金相が分解してＦｅＡｌ合金相の生成量が低下する。より好ましい冷却速度の範囲は−７℃／秒以上−２２℃／秒以下である。なお、ここで、冷却速度とは４２０℃から４００℃まで温度を降下させる際の平均の冷却速度を指す。
【００５２】
以上の通り、本発明の溶融亜鉛めっき鋼板を説明したが、以下では本発明の溶融亜鉛めっき鋼板の使用について説明する。
【００５３】
本願発明の溶融亜鉛めっき鋼板は、プレス加工後の塗装後耐食性に優れるため、溶融亜鉛めっき層の表面に塗膜が形成される用途に使用されることが好ましい。また、本発明の溶融亜鉛めっき鋼板は、厳しい加工性が要求される用途に適用してもめっき密着性に優れ、耐食性や機械特性も大幅に低下することは無い。厳しい加工性が要求され且つ塗膜が形成される用途としては、自動車の外板、内板等の自動車用鋼板が挙げられる。塗膜の形成方法は特に限定されないが、溶融亜鉛めっき層の表面に化成処理を施し、化成皮膜を形成した後、この化成皮膜上に塗膜を形成することが好ましい。
【００５４】
化成処理液としては、塗布型、反応型のいずれも使用可能である。また、化成処理液に含まれる成分も特に限定されず、クロメート処理液を使用してもよいし、クロムフリー化成処理液を使用してもよい。また、化成皮膜は単層であってもよいし、複層であってもよい。
【００５５】
塗膜を形成するための塗装方法は特に限定しないが、塗装方法としては電着塗装、ロールコーター塗装、カーテンフロー塗装、スプレー塗装等が挙げられる。また、塗料を乾燥させるために、熱風乾燥、赤外線加熱、誘導過熱等の手段を用いることができる。
【実施例】
【００５６】
以下、実施例により本発明を説明する。なお、本発明は以下の実施例に限定されない。
【００５７】
表１に示した鋼組成からなる熱延鋼板の黒皮スケールを酸洗で除去して、圧下率７５%で冷間圧延し、その後表面をＣＧＬ（連続式溶融亜鉛めっきライン）の入側で脱脂前処理した後に焼鈍炉で、焼鈍温度８００℃の条件で焼鈍し、表２に記載の条件で溶融亜鉛めっき処理した。めっき・ワイピング後の４２０〜４００℃までの平均冷却速度も測定した。冷却速度も表２に示した。なお、めっき浴から鋼板を引き上げ、ガスジェットワイピングによりめっき付着量を調整した後、冷却前に表２に示す条件でＳＫ処理を行った。
【００５８】
鋼板の組織がフェライト単相から構成されることを以下の方法で確認した。鋼板から試験片を採取し、圧延方向断面（Ｌ断面）を研磨し、ナイタール液でエッチングして、光学顕微鏡（倍率：５０〜４００倍）を用いて、組織を観察し、撮像した。そして、画像解析装置を用いて組織の種類、分率（面積％）を測定した。全ての鋼板が実質的にフェライト単相から構成される鋼板であった。
【００５９】
金属間化合物組成は亜鉛めっき層を発煙硝酸で除去した物の表面をX線回折法で同定した。量については同様にして作成したサンプル表面の金属間化合物表面を希塩酸で溶解してＩＣＰで定量した。めっき層中のＡｌ量についても同様に希塩酸で溶解してＩＣＰで定量した。
【００６０】
金属間化合物の粒径の測定を以下の方法で行った。鋼板から試験片を採取して、圧延方向に平行な断面の金属組織を、走査型電子顕微鏡（ＳＥＭ）を用いて５０００倍で観察し、金属間化合物の平均粒径を測定した。測定結果を表２に示した。
【００６１】
溶融亜鉛めっき層の表面粗さＲａの測定は以下の方法で行った。ＪＩＳ  Ｂ  ０６０１の規定に準拠し、触針式表面粗さ計を用いて、算術平均粗さＲａを測定した。測定結果を表２に示した。
【００６２】
光沢度（Ｇ値）の測定は、光沢度計を用いて行った。測定結果を表２に示した。
【００６３】
Ｘ線回折装置を用いて、溶融亜鉛めっき層表面のＺｎ結晶の（００２）面の結晶配向性とＺｎ結晶の（００４）面の結晶配向性を測定し、亜鉛基底面配向率（Ｚｎ（００２）／（００４））を導出した。亜鉛基底面配向率を表２に示した。
【００６４】
得られた溶融亜鉛めっき鋼板について、化成処理、電着塗装、中塗り、上塗りの総合塗装を実施して塗膜が形成された溶融亜鉛めっき鋼板を製造し、目視にて塗装後外観性を評価した。めっきムラなどが原因となる外観不良がない場合は良好、ある場合には不良と評価した。評価結果を表１に示した。
【００６５】
プレス加工後における加工部のめっき密着性は、板厚減少率１０%の条件で円錐台張り出し成形（プレス成形に相当する成形）した部分について、１８４３ｇで撃芯径５／８ｉｎｃｈのポンチを高さ１mから落下させる耐衝撃性試験を実施し、セロハンテープ剥離する方法で評価した。剥離があるものを密着不良（×）、無いものを密着良好（○）とした。評価結果を表２に示した。
【００６６】
円錐張り出し成型した部分を化成処理、電着塗装、中塗り、上塗りの総合塗装を実施し、塗装後耐食性を次の方法で評価した。ＪＩＳ  Ｚ  ２３７１（２０００年）に基づく塩水噴霧試験を１０日間行い、プレス加工後における加工部における膨れ有無を評価した。膨れが有るものを不良（×）、膨れが無いものを良好（○）とした。評価結果を表２に示した。
【００６７】
溶融亜鉛めっき鋼板から、圧延方向に対して９０°方向にＪＩＳ５号引張試験片を採取し、ＪＩＳ  Ｚ  ２２４１の規定に準拠してクロスヘッド速度１０ｍｍ／ｍｉｎ一定で引張試験を行い、ＹＳが２２０〜３２０ＭＰａのものを良好とした。
【００６８】
【表１】
2014088605.tif 000003
【００６９】
【表２】
2014088605.tif 000004
【００７０】
表２から明らかなように、本発明の溶融亜鉛めっき鋼板はプレス加工したにもかかわらず特性が極めて良好でありめっき剥離が起こらない。耐食性も良好である。